(57)【特許請求の範囲】
【請求項１】
電線群と、
導線と前記導線を被覆する絶縁層を有してなり、かつ前記絶縁層の少なくとも一個所が切除され露出する導線露出部を有し、前記導線の一端部がアースポイントに接地されるアース線と、
前記アース線における前記導線露出部を周方向に取り囲むよう前記導線に圧着されたアース用端子部材と、
少なくとも一側面部が導電性を有する長方形に構成され、かつ長方形の短辺が前記電線群の周方向に対応するとともに前記一側面部が内面側とされ前記アース用端子部材に当接し前記電線群の長手方向所定範囲を海苔巻状に包むシート状のシールド外装材と、
前記シールド外装材において、前記アース用端子部材に当接して前記電線群を周方向に包んでいる個所の前記シールド外装材の包み終り部分を、前記シールド外装材の包み初め側の部分に固定するシールド外装材固定用粘着テープとを備えたことを特徴とするワイヤーハーネス。
【請求項２】
前記アース用端子部材は、前記シールド外装材固定用粘着テープによって前記シールド外装材が締め付けられる位置に備えられていることを特徴とする請求項１に記載のワイヤーハーネス。
【請求項３】
前記電線群は、前記アース用端子部材と相対する個所において、電線結束用粘着テープにより前記電線群が一体に束ねられていることを特徴とする請求項１または請求項２に記載のワイヤーハーネス。
【請求項４】
前記シールド外装材は、前記電線群の両端に接続された端子部材の際まで前記電線群を包んでいることを特徴とする請求項１乃至３のいずれか１に記載のワイヤーハーネス。
【発明の詳細な説明】
【技術分野】
【０００１】
本発明は、ワイヤーハーネスに関する。
【背景技術】
【０００２】
従来、絶縁樹脂シートに金属箔を貼付したシールド外装材と、電線群の長手方向に延びるドレイン線とを備えたワイヤーハーネスが知られている（例えば、特許文献１参照）。
【０００３】
シールド外装材は、金属箔が電線群に当接するよう電線群の長手方向所定範囲を周方向に包んでいる。ドレイン線は、シールド外装材の包み初め部分における絶縁樹脂シートと、シールド外装材の包み終り部分における金属箔とに挟まれている。また、ドレイン線は、アース端子に接続されている。
【０００４】
シールド外装材の包み終り部分における金属箔およびドレイン線は、シールド外装材の包み初め部分における絶縁樹脂シートに、電線群の長手方向に延びる粘着層によって固定され、金属箔とドレイン線とが互いに密着して電気的に接続されるようになっている。
【０００５】
上述のワイヤーハーネスは、電線群を周方向に包むシールド外装材と、電線群の長手方向に延びて金属箔に当接するドレイン線とによって、電線に通電される信号電流が電界の変化等に起因する静電ノイズの影響を受けないようにしている。
【先行技術文献】
【特許文献】
【０００６】
【特許文献１】特開平１１−３５３９５２号公報
【発明の概要】
【発明が解決しようとする課題】
【０００７】
しかしながら、上述のワイヤーハーネスは、シールド外装材により電線群が包まれる範囲が長くなると、シールド外装材の包み終り部分とシールド外装材の包み初め部分とを粘着層によって固定する際に、シールド外装材の位置決めが難しくなる。このため、上述のワイヤーハーネスは、電線群に対するシールド外装材の組付作業を簡単に、かつ容易に行うことができなかった。
【０００８】
そこで、本発明は、上述した課題を解決するためになされたものであり、電線群に対するシールド外装材の組付作業を簡単に、かつ容易に行うことができるワイヤーハーネスを提供することを目的としている。
【課題を解決するための手段】
【０００９】
本発明に係るワイヤーハーネスは、上記目的を達成するため、電線群と、導線と前記導線を被覆する絶縁層を有してなり、かつ前記絶縁層の少なくとも一個所が切除され露出する導線露出部を有し、前記導線の一端部がアースポイントに接地されるアース線と、前記アース線における前記導線露出部を周方向に取り囲むよう前記導線に圧着されたアース用端子部材と、少なくとも一側面部が導電性を有する長方形に構成され、かつ長方形の短辺が前記電線群の周方向に対応するとともに前記一側面部が内面側とされ前記アース用端子部材に当接し前記電線群の長手方向所定範囲を海苔巻状に包むシート状のシールド外装材と、前記シールド外装材において、前記アース用端子部材に当接して前記電線群を周方向に包んでいる個所の前記シールド外装材の包み終り部分を、前記シールド外装材の包み初め側の部分に固定するシールド外装材固定用粘着テープとを備えた構成を有している。
【００１０】
この構成により、本発明に係るワイヤーハーネスは、シールド外装材固定用粘着テープにより、シールド外装材において、アース用端子部材に当接して電線群を周方向に包んでいる個所のシールド外装材の包み終り部分を、包み初め側の部分に固定する。
【００１１】
これにより、本発明に係るワイヤーハーネスは、シールド外装材が電線群の長手方向所定範囲を包んだ状態に保持される。このため、本発明に係るワイヤーハーネスは、電線群に対するシールド外装材の組付作業を簡単に、かつ容易に行うことができる。
【００１２】
上述した構成のワイヤーハーネスにおいて、前記アース用端子部材は、前記シールド外装材固定用粘着テープによって前記シールド外装材が締め付けられる位置に備えられている構成としてもよい。
【００１３】
この構成により、本発明に係るワイヤーハーネスは、シールド外装材固定用粘着テープによってシールド外装材が締め付けられる位置に、アース用端子部材を備える。
【００１４】
これにより、本発明に係るワイヤーハーネスは、アース用端子部材が、電線群とシールド外装材とに挟持される。このため、本発明に係るワイヤーハーネスは、ドレイン線の導線に結着したアース用端子部材がシールド外装材の一側面部に確実に当接する。
【００１５】
上述した構成のワイヤーハーネスにおいて、前記電線群は、前記アース用端子部材と相対する個所において、電線結束用粘着テープにより前記電線群が一体に束ねられている構成としてもよい。
【００１６】
この構成により、本発明に係るワイヤーハーネスは、電線結束用粘着テープが、電線群においてアース用端子部材と相対する個所に位置する電線を一体に束ねる。
【００１７】
これにより、本発明に係るワイヤーハーネスは、電線群を構成する複数の電線の間にアース用端子部材が入り込まない。このため、本発明に係るワイヤーハーネスは、ドレイン線の導線に結着したアース用端子部材がシールド外装材の一側面部に確実に当接する。
【００１８】
上述した構成のワイヤーハーネスにおいて、前記シールド外装材は、前記電線群の両端に接続された端子部材の際まで前記電線群を包んでいる構成としてもよい。
【００１９】
この構成により、両端に端子部材が接続された電線群について、全長に渡り、静電ノイズの影響を受けないようにすることができる。
【発明の効果】
【００２０】
本発明によれば、電線群に対するシールド外装材の組付作業を簡単に、かつ容易に行うことができるワイヤーハーネスを提供することができる。
【図面の簡単な説明】
【００２１】
【図１】本発明の第１の実施の形態に係るワイヤーハーネスを構成する電線群およびアース線の概略側面図であり、図１（ａ）はアース線にアース用端子部材を取り付ける前を示し、図１（ｂ）はアース線にアース用端子部材を取り付けた後を示す。
【図２】本発明の第１の実施の形態に係るワイヤーハーネスを構成するシールド外装材により電線群を包む工程を示す概略側面図である。
【図３】本発明の第１の実施の形態に係るワイヤーハーネスの概略側面図である。
【図４】本発明の第２の実施の形態に係るワイヤーハーネスの概略側面図である。
【発明を実施するための形態】
【００２２】
以下、本発明の実施の形態に係るワイヤーハーネスについて、図面を参照して説明する。
【００２３】
（第１の実施の形態）
図１ないし図３に示すように、第１の実施の形態に係るワイヤーハーネスＷは、電線群１０、電線結束用粘着テープ２０、アース線３０、アース用端子部材４０、シールド外装材５０およびシールド外装材固定用粘着テープ６０を含んで構成されている。
【００２４】
電線群１０は、ポリ塩化ビニルで被覆された複数の電線１０ａの集合である。電線１０ａは、電線群１０の長手方向所定範囲の両端部にそれぞれ巻き掛けた電線結束用粘着テープ２０により、一体に束ねられている。電線結束用粘着テープ２０は、ポリ塩化ビニルよりなる帯状の基材の一側面部に、粘着剤を塗布して粘着層を形成したものである。
【００２５】
アース線３０は、導線３１と、導線３１を被覆する絶縁層３２を有してなり、電線群１０に沿って配置されている。アース線３０は、少なくとも一個所、ここでは電線結束用粘着テープ２０に並ぶ２個所の絶縁層３２が切除され露出する導線露出部３１ａを有する。アース線３０の両端部は、図示しない端子、あるいはコネクタ等を介してアースポイントに接地されるようになっている。
【００２６】
アース用端子部材４０は、アース線３０において絶縁層３２を切除することにより露出した導線３１に外嵌し、かつ圧着され、電線群１０に巻き掛けた電線結束用粘着テープ２０に当接している。アース用端子部材４０には、例えば、公知のスプライス端子を用いている。導線３１に圧着されたアース用端子部材４０は、アース線３０の絶縁層３２よりも外径が大きくなっている。アース用端子部材４０の材料としては、例えば、黄銅等が挙げられる。
【００２７】
シールド外装材５０は、少なくとも一側面部が導電性を有するようシート状に構成されている。シールド外装材５０は、電線群１０の長手方向所定範囲を周方向に包んでいる。
【００２８】
シールド外装材５０の具体例としては、アルミ箔等の金属箔、シート状に形成した編組線、あるいは樹脂フィルムの一側面部に金属膜を蒸着等により形成させたものが挙げられる。
【００２９】
シールド外装材５０が樹脂シートの一側面部に金属膜を形成したものである場合は、導電性を有する金属膜が内周側に位置するように、シールド外装材５０により電線群１０の長手方向所定範囲を周方向に包む。シールド外装材５０がアルミ箔等の金属箔や、シート状に形成した編組線である場合は、単にシールド外装材５０により電線群１０の長手方向所定範囲を包めばよい。
【００３０】
シールド外装材５０は、長手方向所定範囲の両端部にそれぞれ巻き掛けたシールド外装材固定用粘着テープ６０により、包み終り部分が包み初め側の部分に固定され、電線群１０の周方向に締め付けられるようになっている。これにより、アース用端子部材４０は、電線１０ａを束ねている電線結束用粘着テープ２０とシールド外装材５０とに挟持され、アース用端子部材４０がシールド外装材５０の一側面部に確実に当接する。
【００３１】
本実施の形態に係るワイヤーハーネスＷを製作するときには、シールドの対象となる電線群１０の長手方向所定範囲を周方向に包み得る平面形状を有するシールド外装材５０を用意しておく。
【００３２】
また、電線群１０の長手方向に沿って延びるアース線３０の絶縁層３２を、電線群１０の長手方向所定範囲の両端部において切除し、絶縁層３２を切除することにより露出した導線３１にアース用端子部材４０を外嵌させて圧着しておく。
【００３３】
まず、電線群１０の長手方向所定範囲の両端部のそれぞれに電線結束用粘着テープ２０を巻き掛けて、複数の電線１０ａを一体に束ねる。次いで、アース線３０を電線群１０に沿うように配置するとともに、複数の電線１０ａを束ねている電線結束用粘着テープ２０にアース用端子部材４０を当接させる。さらに、シールド外装材５０によって、シールドの対象となる電線群１０の長手方向所定範囲を上述したように周方向に包む。
【００３４】
この後、シールド外装材５０の長手方向所定範囲の両端部のそれぞれにシールド外装材固定用粘着テープ６０を巻き掛けて、シールド外装材５０の包み終り部分を包み初め側の部分に固定し、シールド外装材５０を電線群１０の周方向に締め付ける。
【００３５】
これにより、アース用端子部材４０は、複数の電線１０ａを束ねている電線結束用粘着テープ２０とシールド外装材５０とに挟持され、アース用端子部材４０がシールド外装材５０の一側面部に当接する。シールド外装材５０にアース用端子部材４０が当接すると、シールド外装材５０とアース線３０とがアース用端子部材４０を介して電気的に接続されることになる。
【００３６】
また、アース線３０の端部を、図示しない端子、あるいはコネクタ等を介してアースポイントに接地させる。
【００３７】
本実施の形態に係るワイヤーハーネスＷは、シールド外装材固定用粘着テープ６０が、シールド外装材５０において、アース用端子部材４０に当接して電線群１０を周方向に包んでいる個所のシールド外装材５０の包み終り部分を、包み初め側の部分に固定する。
【００３８】
これにより、本実施の形態に係るワイヤーハーネスＷは、シールド外装材５０が電線群１０の長手方向所定範囲を包んだ状態に保持される。このため、本実施の形態に係るワイヤーハーネスＷは、電線群１０に対するシールド外装材５０の組付作業を簡単に、かつ容易に行うことができる。
【００３９】
本実施の形態に係るワイヤーハーネスＷは、シールドが必要となった既設の電線群１０、もしくは電線群１０の特定個所にシールド外装材５０を組み付けるのに適しており、電線群１０を構成している各電線１０ａのそれぞれに耐ノイズ性を付与することができる。
【００４０】
また、本実施の形態に係るワイヤーハーネスＷは、アース用端子部材４０が、導電性を有するシールド外装材５０の一側面部とアース線３０とを電気的に接続する。このため、本実施の形態に係るワイヤーハーネスＷは、シールド外装材５０がドレイン線を兼ねる。よって、本実施の形態に係るワイヤーハーネスＷは、電線群１０の長手方向所定範囲が静電ノイズの影響を受けないようにすることができる。
【００４１】
本実施の形態に係るワイヤーハーネスＷは、シールド外装材固定用粘着テープ６０によってシールド外装材５０が締め付けられる位置にアース用端子部材４０を備えている。
【００４２】
これにより、本実施の形態に係るワイヤーハーネスＷは、アース用端子部材４０が、複数の電線１０ａを束ねている電線結束用粘着テープ２０とシールド外装材５０体とに挟持され、電線群１０を構成する複数の電線１０ａの間に入り込まない。このため、本実施の形態に係るワイヤーハーネスＷは、アース線３０の導線３１に圧着したアース用端子部材４０がシールド外装材５０の一側面部に確実に当接する。
【００４３】
本実施の形態に係るワイヤーハーネスＷは、２個のアース用端子部材４０を有しているが、アース用端子部材４０は、１個であってもよい。この場合、電線群１０に巻き掛けられて電線群１０を束ねる電線結束用粘着テープ２０の位置や、シールド外装材５０に巻き掛けられてシールド外装材５０を締め付けるシールド外装材固定用粘着テープ６０の位置は、アース用端子部材４０に対応させるようにする。
【００４４】
（第２の実施の形態）
図４に示すように、第２の実施の形態に係るワイヤーハーネスＷ'は、電線群１０、電線結束用粘着テープ２０、アース線３０、アース用端子部材４０、シールド外装材５０およびシールド外装材固定用粘着テープ６０を含んで構成されている点では、第１の実施の形態の構成と同一であり、前記電線群５０の両端に端子部材１１が接続されている点で、第１の実施の形態の構成と相違している。
【００４５】
シールド外装材５０は、電線群１０の両端に接続された端子部材１１の際まで電線群１０を包んでいる。電線結束用粘着テープ２０もシールド外装材５０の長手方向の端部までシールド外装材５０を閉じ合わせている。
【００４６】
この構成により、両端に端子部材１１が接続された電線群１０について、全長に渡り、静電ノイズの影響を受けないようにすることができる。
【００４７】
以上のように、本発明に係るワイヤーハーネスは、シールド外装材固定用粘着テープが、シールド外装材においてアース用端子部材に当接して電線群を周方向に包んでいる個所のシールド外装材の包み部分を、包み初め側の部分に固定する。これにより、本発明に係るワイヤーハーネスは、シールド外装材が電線群の長手方向所定範囲を包んだ状態に保持される。よって、本発明に係るワイヤーハーネスは、電線群に対するシールド外装材の組付作業を簡単に、かつ容易に行うことができるという効果を奏するものである。
【産業上の利用可能性】
【００４８】
本発明に係るワイヤーハーネスは、電線群に対するシールド外装材の組付作業を簡単に、かつ容易に行うことができるので、車両、種々の装置、機械設備等に利用できる。
【符号の説明】
【００４９】
Ｗ、Ｗ'  ワイヤーハーネス
１０  電線群
１０ａ  電線
１１  端子部材
２０  電線結束用粘着テープ
３０  アース線
３１  導線
３１ａ  導線露出部
３２  絶縁層
４０  アース用端子部材
５０  シールド外装材
６０  シールド外装材固定用粘着テープ
【図１】
0006011521.tif 000002
【図２】
0006011521.tif 000003
【図３】
0006011521.tif 000004
【図４】
0006011521.tif 000005